【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
複数のユーザ端末装置の間でサーバ装置を介して報知情報を通信可能に設けられた報知システムであって、
前記ユーザ端末装置に設けられた報知ボタンと、
前記報知ボタンを押す、またはクリックする回数を計数する計数手段と、
前記計数手段により計数された回数に応じて前記報知ボタンを押した、またはクリックした回数を認知させる認知手段と、
前記計数手段により計数された回数に応じて前記報知情報を変更する変更手段と、
を有し、
前記サーバ装置は、前記変更手段により変更された報知情報を目的のユーザ端末装置に送信することを特徴とする報知システム。
【請求項２】
前記ユーザ端末装置は、前記報知ボタンを画面表示する表示手段を有し、
前記認知手段は、前記計数手段により計数された回数に応じて前記表示手段の画面上に表示する前記報知ボタンの色を変更する色変更手段を有することを特徴とする請求項１に記載の報知システム。
【請求項３】
前記認知手段は、前記計数手段により計数された回数に応じて音を発生する音発生手段を有することを特徴とする請求項１または請求項２に記載の報知システム。
【請求項４】
前記ユーザ端末装置は、前記報知ボタンを画面表示する表示手段を有し、
前記認知手段は、前記計数手段により計数された回数に応じて前記表示手段の画面上に表示する前記報知ボタンの面積比率を変更する面積変更手段を有することを特徴とする請求項１〜３のいずれか１項に記載の報知システム。
【請求項５】
前記ユーザ端末装置は、前記報知ボタンを画面表示する表示手段を有し、
前記認知手段は、前記計数手段により計数された回数に応じて前記表示手段の画面上に表示する前記報知ボタンの表示位置を振動させる振動表示手段を有することを特徴とする請求項１〜４のいずれか１項に記載の報知システム。
【請求項６】
前記変更手段は、前記計数手段により計数された回数に応じて複数の報知情報から所定の報知情報を選択することを特徴とする請求項１〜５のいずれか１項に記載の報知システム。
【請求項７】
前記ユーザ端末装置は、前記報知情報を画面表示する表示手段を有し、
前記変更手段は、前記計数手段により計数された回数に応じて前記表示手段の画面上に表示する前記報知情報の面積比率を変更することを特徴とする請求項１〜６のいずれか１項に記載の報知システム。
【請求項８】
複数のユーザ端末装置の間でサーバ装置を介して報知情報を通信可能に設けられた報知システムをコンピュータを利用して実行するプログラムであって、
前記ユーザ端末装置に設けられた報知ボタンを押す、またはクリックする回数を計数手段により計数する計数ステップと、
前記計数ステップにおいて計数した回数に応じて認知手段により前記報知ボタンを押した、またはクリックした回数を認知させる認知ステップと、
前記計数ステップにおいて計数した回数に応じて変更手段により前記報知情報を変更する報知情報変更ステップと、
前記報知情報変更ステップにおいて変更された報知情報を前記サーバ装置により目的のユーザ端末装置に送信する送信ステップと、
を実行することを特徴とするプログラム。
【請求項９】
前記認知ステップは、前記計数ステップにおいて、前記計数手段により計数された回数に応じて色変更手段により表示手段の画面上に表示する前記報知ボタンの色を変更する色変更ステップを有することを特徴とする請求項８に記載のプログラム。
【請求項１０】
前記認知ステップは、前記計数手段により計数された回数に応じて音発生手段により音を発生する音発生ステップを有することを特徴とする請求項８または請求項９に記載のプログラム。
【請求項１１】
前記認知ステップは、前記計数手段により計数された回数に応じて面積変更手段により表示手段の画面上に表示する前記報知ボタンの面積比率を変更する報知ボタン面積変更ステップを有することを特徴とする請求項８〜１０のいずれか１項に記載のプログラム。
【請求項１２】
前記認知ステップは、前記計数手段により計数された回数に応じて振動表示手段により表示手段の画面上に表示する前記報知ボタンの表示位置を振動させる振動ステップを有することを特徴とする請求項８〜１１のいずれか１項に記載のプログラム。
【請求項１３】
前記報知情報変更ステップにおいて、前記計数手段により計数された回数に応じて前記変更手段により複数の報知情報から所定の報知情報を選択する報知情報選択ステップを有することを特徴とする請求項８〜１２のいずれか１項に記載のプログラム。
【請求項１４】
前記報知情報変更ステップにおいて、前記変更手段により前記ユーザ端末装置に設けられる表示手段の画面上に表示する前記報知情報の面積比率を変更する報知情報面積変更ステップを有することを特徴とする請求項８〜１３のいずれか１項に記載のプログラム。
【手続補正２】
【補正対象書類名】明細書
【補正対象項目名】０００９
【補正方法】変更
【補正の内容】
【０００９】
前記目的を達成するための本発明に係る報知システムの代表的な構成は、複数のユーザ端末装置の間でサーバ装置を介して報知情報を通信可能に設けられた報知システムであって、前記ユーザ端末装置に設けられた報知ボタンと、前記報知ボタンを押す、またはクリックする回数を計数する計数手段と、前記計数手段により計数された回数に応じて前記報知ボタンを押した、またはクリックした回数を認知させる認知手段と、前記計数手段により計数された回数に応じて前記報知情報を変更する変更手段と、を有し、前記サーバ装置は、前記変更手段により変更された報知情報を目的のユーザ端末装置に送信することを特徴とする。
【手続補正３】
【補正対象書類名】明細書
【補正対象項目名】００１０
【補正方法】変更
【補正の内容】
【００１０】
前記目的を達成するための本発明に係るプログラムの代表的な構成は、複数のユーザ端末装置の間でサーバ装置を介して報知情報を通信可能に設けられた報知システムをコンピュータを利用して実行するプログラムであって、前記ユーザ端末装置に設けられた報知ボタンを押す、またはクリックする回数を計数手段により計数する計数ステップと、前記計数ステップにおいて計数した回数に応じて認知手段により前記報知ボタンを押した、またはクリックした回数を認知させる認知ステップと、前記計数ステップにおいて計数した回数に応じて変更手段により前記報知情報を変更する報知情報変更ステップと、前記報知情報変更ステップにおいて変更された報知情報を前記サーバ装置により目的のユーザ端末装置に送信する送信ステップと、を実行することを特徴とする。
【手続補正４】
【補正対象書類名】明細書
【補正対象項目名】００１１
【補正方法】変更
【補正の内容】
【００１１】
本発明に係る報知システム及びこれを実行するプログラムによれば、所定のユーザ端末装置の報知ボタンを押す、またはクリックする回数を計数する計数手段により計数された回数に応じて、認知手段によりユーザに報知ボタンを押した、またはクリックした回数を認知させることが出来、ユーザは報知ボタンを押した、またはクリックした回数を誤認知することがない。サーバ装置は変更手段により変更された報知情報を目的のユーザ端末装置に送信することが出来る。これにより、ユーザ端末装置に別途格別な装置を設置する必要が無く、複数のユーザ端末装置の間でサーバ装置を介して報知ボタンを押した、またはクリックした回数に対応した各種の報知情報を正確に通信することが出来る。